(57)【特許請求の範囲】
【請求項１】
貨幣を投入することにより内部に貯蔵されたメダルを所定枚数毎にメダル払出し機構を介してメダル払出しシュートから払出しする台間メダル貸し機であって、
前記メダル払出しシュートから払出される所定枚数のメダルを積み重ねた状態（棒金状態）に整列して受ける円筒状のメダル受け部を、前記メダル払出しシュートに連設して前記メダル貸し機前面に設け、
前記メダル受け部は、略半円形状の樋部材と、その上面を覆う開閉可能な半円形状の透明カバーとを備え、
前記樋部材とその上面を覆うように閉じられる前記透明カバーとによって前記円筒状のメダル受け部が形成されるとともに、前記透明カバーを前記桶部材の外周に沿って回転させて開状態にして前記樋部材の上面を開放すると積み重ねられたメダルが露出して当該樋部材から取り出し可能となるように構成されている
ことを特徴とする台間メダル貸し機。
【請求項２】
前記メダル受け部を、前記メダル貸し機前面にその上下方向に沿って下方部が手前側に突出するよう所定角度傾斜させて設けた
ことを特徴とする請求項１に記載の台間メダル貸し機。
【請求項３】
前記メダル受け部の下端ストッパー部に、指によるメダル押し出し用の切り欠き部を設けた
ことを特徴とする請求項１又は２に記載の台間メダル貸し機。
【発明の詳細な説明】
【０００１】
【発明の属する技術分野】
本発明は、複数台のスロットマシンを設置して形成されるスロット島のスロットマシン間に設置され、貨幣を投入することにより内部に貯蔵されたメダルを所定枚数毎にメダル払出しシュートから払出しする、所謂サンドと称する台間メダル貸し機に関するものである。
【０００２】
【従来の技術】
台間メダル貸し機は、スロット島のスロットマシン間に設置されており、上部の貨幣投入口から通常千円札を投入することにより、内部に貯蔵されているメダルを所定枚数、つまり５０枚毎にメダル払出し機構を介してメダル払出しシュートから払出しする機能を有する。
従来の台間メダル貸し機は、一般にこのメダル払出しシュートから払出されるメダルを手で受けるか、台間メダル貸し機前面に設けられている受け皿に受けるか、あるいはスロットマシンの前面に設けられているメダル受け皿に直接シュートを介して払出しできるように構成されている。
そして、スロットマシンでの遊戯者は、このメダルを手に取って一枚づつスロットマシン前面のメダル投入口から投入し、レバーを操作することによって遊戯に興ずることができるようになっている。
【０００３】
しかしながら、従来の台間メダル貸し機では、払出されるメダルがアットランダムに受け皿等に払出されるだけであるため、普通の遊戯者はスロットマシンにメダルを投入する際、５、６枚のメダルを受け皿から手で拾い、手の中で重ねた状態にしながら一枚づつスロットマシンのメダル投入口から投入して遊戯しているのが実情である。
このため、払出されたメダルをスムーズに投入することができず、メダル投入動作がしずらく、時間当たりの遊戯回数を増やすことができないと共に、両方の手を使うため、遊戯中に他のことができない等の不便さがあった。
【０００４】
【発明が解決しようとする課題】
本発明は、以上の問題に対処するためになされたものであり、その第一の課題は、払出されたメダルをそのままスムーズに投入できるようにしてメダル投入動作の簡便化を図り、時間当たりの遊戯回数を増やすことができる台間メダル貸し機を提供することにある。
また、本発明のもう一つの課題は、払出されたメダルを直接遊戯者が片手で掴んでスロットマシンのメダル投入口に投入できるようにすることにより、メダル投入動作を楽にし、両手を使わなければならないことによる不便さを解消することができる台間メダル貸し機を提供することにある。
【０００５】
【課題を解決するための手段】
上記した課題を解決するため、本発明にかかる台間メダル貸し機は、貨幣を投入することにより内部に貯蔵されたメダルを所定枚数毎にメダル払出し機構を介してメダル払出しシュートから払出しする台間メダル貸し機であって、前記メダル払出しシュートから払出される所定枚数のメダルを積み重ねた状態（棒金状態）に整列して受ける円筒状のメダル受け部を、前記メダル払出しシュートに連設して前記メダル貸し機前面に設け、前記メダル受け部は、略半円形状の樋部材と、その上面を覆う開閉可能な半円形状の透明カバーとを備え、前記樋部材とその上面を覆うように閉じられる前記透明カバーとによって前記円筒状のメダル受け部が形成されるとともに、前記透明カバーを前記桶部材の外周に沿って回転させて開状態にして前記樋部材の上面を開放すると積み重ねられたメダルが露出して当該樋部材から取り出し可能となるように構成されていることを特徴とするもので、メダル払出し時には透明カバーを閉じておくことにより、メダルの飛び出しを防止することができると共に、同カバーが透明であるため、閉じた状態でもメダルが払出されたことを確認することができ、また、払出されたメダルをメダル貸し機前面のメダル受け部に積み重ねた状態（棒金状態）に整列して受け入れることができるため、スロットマシンでの遊戯者は、この棒金状態に整列されているメダルをそのまま片手で取り上げて直接スロットマシンに投入し遊戯することができる。
【０００６】
また、本発明にかかる台間メダル貸し機は、上記した台間メダル貸し機において、前記メダル受け部を、前記メダル貸し機前面にその上下方向に沿って下方部が手前側に突出するよう所定角度傾斜させて設けたことを特徴とするもので、傾斜角度を最も操作し易い適切な角度に設定することにより、メダル受け部に払出されたメダルを最も簡易な動作で楽に取り上げることができる。
【０００８】
また、本発明にかかる台間メダル貸し機は、上記した台間メダル貸し機において、前記メダル受け部の下端ストッパー部に、指によるメダル押し出し用の切り欠き部を設けたことを特徴とするもので、半円樋状のメダル受け部の最下端に位置するメダルも、下端ストッパー部に設けた切り欠き部を介して指で押し出すことができるため、スムーズに取り上げることができる。
【０００９】
【発明の実施の形態】
以下に本発明の実施形態を図１乃至図４に基づいて説明する。
図１は本発明の実施形態にかかる台間メダル貸し機の正面図、図２はその内部側面図、図３はそのメダル受け部の横断面図、図４は同メダル受け部の下端ストッパー部の下面図である。
【００１０】
図中において、１は台間メダル貸し機本体で、その前面の上方部には貨幣（紙幣）を投入するための貨幣投入口２を備えた錠３付きの開閉扉４が設けられており、その内部には貨幣投入口２に対応して識別機構付きの貨幣収納箱５が内蔵されている。
また、台間メダル貸し機本体１内部の貨幣収納箱５の下部には、メダル貯蔵箱６が内蔵されており、その前面にヒンジ７を介して開閉可能に設けられている錠８付きのメダル補給口９からメダルＭを補給できるようになっている。
なお、メダルＭの補給はメダル貯蔵箱６にシュートを連結して自動補給システムにより補給するよう構成することができる。
【００１１】
メダル貯蔵箱６の下部には、メダル払出し機構を構成するホッパー１０が連設され、さらに同ホッパー１０にベルト式等のメダル送出装置１１が連設されており、貨幣が投入された際にメダル払出しシュート１２を介して所定枚数のメダルＭを払出しできるように構成されている。
１３は上記メダル払出し機構の下部に内蔵された制御ボックスであり、一連のメダル払出し動作を制御すると共に、台間メダル貸し機本体１前面のメダル補給口９下部に設けられている表示部１４に対するメダル貸出し可否やメダル払出し枚数の表示動作を制御する機能を有している。
【００１２】
台間メダル貸し機本体１前面の下方部適所には、メダル払出しシュート１２を介して払出されるメダルＭを受けるメダル受け部１５が設けられている。
このメダル受け部１５は、台間メダル貸し機本体１前面に上下方向に沿って下方部が手前側へ突出するように所定角度傾斜されて設置された傾斜台１６の上面に、略半円形状の樋部材１７をメダル払出しシュート１２に連設して設けることにより構成される。
【００１３】
また、このメダル受け部１５には、図３に示すようにアクリル材等からなる略半円形の透明カバー１８が、その上面を覆うことができるように開閉可能に設けられている。
この透明カバー１８は、把手１９を一体に形成しており、円弧状の溝に沿って回転あるいはスライドさせることにより、又はヒンジを中心に回転させることにより、メダル受け部１５の上面を開閉できるように装着されている。
更に、メダル受け部１５の下端はストッパー部２０となっているが、この下端ストッパー部２０には、図４に示すようにメダル受け部１５の下端部に位置するメダルを指で押し出すことができるように切り欠き部２１が設けられている。
【００１４】
しかして、上記の実施形態によると、遊戯者が貨幣投入口２から千円札等の貨幣を投入することにより、メダル払出し機構を構成するホッパー１０、メダル送出装置１１等が作動し、メダル払出しシュート１２を介して所定枚数（５０枚）のメダルＭをメダル受け部１５に払出すと共に、その払出し状況を表示部１４に表示する。
メダル払出しシュート１２から払出されたメダルＭは、メダル払出しシュート１２に連設されている略半円形状の樋部材１７からなるメダル受け部１５に、順次積み重ねられた状態（硬化を重ねて棒状にした棒金状態）に整列されて受け入れられストックされる。
【００１５】
これは、メダル受け部１５が略半円形状の樋部材１７とその上面を覆うように閉じられる半円形状の透明カバー１８とによって、円筒状のメダル受け部を形成し、その円筒部に円形のメダルＭが直角の姿勢で順次払出されることになるためであり、透明カバー１８はこの際にメダルＭが半円形状の樋部材１７から飛び出さないように作用する。
このようにして払出されたメダルＭは、図１、図２に示すようにメダル受け部１５に積み重ねられた状態にストックされており、遊戯者が図３に示すように透明カバー１８の把手１９を摘んで回転又はスライドさせて上面を開放することにより、メダルＭを取り出すことができるようになる。
【００１６】
しかして、遊戯者は、既に積み重ねられた状態に整列されているメダルＭを直接メダル受け部１５から一枚づつ片手で取り上げてスロットマシンに投入し、遊戯に興ずることができる。
このため、メダルＭを投入する際に、いちいち受け皿からメダルＭを拾い上げて手の中で重ね合わせた状態にして投入動作する必要がなく、直接メダル受け部１５から片手で取り上げて投入することができる。
従って、メダルＭをスムーズに投入できるようになり、メダル投入動作の簡便化を図って、時間当たりの遊戯回数を増やすことが可能となる。
【００１７】
また、払出されたメダルＭを遊戯者が直接片手で掴んで簡便にスロットマシンのメダル投入口に投入できるため、メダル投入動作が非常に楽になるばかりではなく、両手を使う必要がなくなり、両手を使用することによる不便さを解消することができる。
その上、メダル受け部１５が最もメダルＭを取り出し易い角度に傾斜設置されているため、取り出し動作がし易く、更には、メダル受け部１５の最下端にストックされたメダルＭも、メダル受け部１５の下端ストッパー部２０にメダルＭを指で押し出すことができる切り欠き部２１が設けられているため、容易に取り出すことができる。
【００１８】
また、メダルＭをメダル受け部１５に払出しするに際しても、透明カバー１８が半円形状の樋部材１７の上面を覆っているため、メダル払出しシュート１２から払出されるメダルＭの飛び出しを防止することができると共に、同カバーが透明であるため、メダルＭの払出し状態及び払出し結果を確認しながら、メダルＭを払出しすることができる。
【００１９】
【発明の効果】
以上に詳細に説明したように、本発明にかかる台間メダル貸し機によると、メダル払出しシュートからメダル受け部に払出されたメダルをそのままスムーズにスロットマシンに投入できるため、メダル投入動作の簡便化を図り、時間当たりの遊戯回数を増やすことができる。
また、払出されたメダルを直接片手で掴んでスロットマシンのメダル投入口に投入できるようになるため、メダル投入動作が非常に楽になり、両手を使わなければならないことによる不便さを解消することができる。
【図面の簡単な説明】
【図１】本発明の実施形態にかかる台間メダル貸し機の正面図である。
【図２】同台間メダル貸し機の内部側面図である。
【図３】同台間メダル貸し機のメダル受け部の横断面図である。
【図４】同台間メダル貸し機のメダル受け部の下端ストッパー部の下面図である。
【符号の説明】
１…台間メダル貸し機、２…メダル投入口、１２…メダル払出しシュート、１５…メダル受け部、１６…傾斜台、１７…樋部材、１８…透明カバー、２０…下端ストッパー部、２１…切り欠き部、Ｍ…メダル
【図１】
0004521622.tif 000002
【図２】
0004521622.tif 000003
【図３】
0004521622.tif 000004
【図４】
0004521622.tif 000005